(57)【要約】【課題】通話中の各通信端末で映像ファイルの再生表示ができる通信システムにおいて、通話相手に電話をかけるまでに時間がかからず、通話開始直後から映像ファイルを再生することができる呼設定サーバの発呼方法および通信端末の発呼方法を提供する。【解決手段】端末Ａは、通話相手を呼び出すための発呼操作が行われる際に、通話中に再生する映像ファイルのアップロード（転送）の指定が行われていると、ＳＩＰサーバ４０に位置登録の処理を行った後に、端末Ａからメディアサーバ７０への指定された映像ファイルのアップロード処理を開始する。メディアサーバ７０は、ファイルのアップロード処理が終了するとＳＩＰサーバ４０に対しファイル転送完了のメッセージを通知する。ＳＩＰサーバ４０は、メディアサーバ７０からファイル転送完了通知のメッセージを受信した後、通話相手を呼び出す処理を実行する。【選択図】図３
2008060752.tif 000002
【特許請求の範囲】
【請求項１】
ネットワーク上のサーバにアップロードされた映像ファイルに対して、通話中の通信端末から該映像ファイルの再生要求を受けると、通話中の各通信端末に対し当該映像ファイルを配信して、通話中の各通信端末で前記映像ファイルの再生表示ができる通信システムにおいて、
前記通信端末は、通話相手を呼び出すための発呼操作が行われる際に、前記通話中に再生する映像ファイルのアップロードの指定が行われていると、前記通話相手を呼び出す処理の前に、前記指定された映像ファイルの前記サーバへのアップロード処理を行い、当該アップロードが完了した後、前記通話相手を呼び出す処理を実行することを特徴とする通信端末の発呼方法。
【請求項２】
ネットワーク上のサーバにアップロードされた映像ファイルに対して、通話中の通信端末から該映像ファイルの再生要求を受けると、通話中の各通信端末に対し当該映像ファイルを配信して、通話中の各通信端末で前記映像ファイルの再生表示ができる通信システムにおいて、
前記通信端末は、通話相手を呼び出すための発呼操作が行われる際に、前記通話中に再生する映像ファイルのアップロードの指定が行われていると、前記通話相手を呼び出す処理の前に、前記指定された映像ファイルの前記サーバへのアップロード処理を行い、アップロードする残りのサイズが所定のサイズになってから、前記通話相手を呼び出す処理を実行することを特徴とする通信端末の発呼方法。
【請求項３】
ネットワーク上のサーバにアップロードされた映像ファイルに対して、通話中の通信端末から該映像ファイルの再生要求を受けると、通話中の各通信端末に対し当該映像ファイルを配信して、通話中の各通信端末で前記映像ファイルの再生表示ができる通信システムにおいて、
前記通信端末は、通話相手を呼び出すための発呼操作が行われる際に、前記通話中に再生する映像ファイルのアップロードの指定が行われていると、前記通話相手を呼び出す処理の前に、前記指定された映像ファイルの前記サーバへのアップロード処理を行い、該アップロード処理の完了予測時間が所定時間を過ぎると、前記通話相手を呼び出す処理を実行することを特徴とする通信端末の発呼方法。
【請求項４】
ネットワーク上のサーバにアップロードされた映像ファイルに対して、通話中の通信端末から該映像ファイルの再生要求を受けると、通話中の各通信端末に対し当該映像ファイルを配信して、通話中の各通信端末で前記映像ファイルの再生表示ができる通信システムにおいて、
前記通信端末は、通話相手を呼び出すための発呼操作が行われる際に、前記通話中に再生する映像ファイルのアップロードの指定が行われていると、前記通話相手を呼び出す処理の前に、前記指定された映像ファイルの前記サーバへのアップロード処理を行い、アップロードを開始してから所定時間が経過すると、前記通話相手を呼び出す処理を実行することを特徴とする通信端末の発呼方法。
【請求項５】
前記通信端末は、前記通話相手との通話が開始しても前記アップロード処理が完了しないときは、当該通話に必要な帯域を確保し、残りの帯域で前記アップロード処理を行うことを特徴とする請求項４に記載の通信端末の発呼方法。
【請求項６】
前記通信端末は、前記通話相手との通話が開始しても前記アップロード処理が完了しないときは、無音区間を検出して、無音状態のときに前記アップロード処理を行うことを特徴とする請求項４に記載の通信端末の発呼方法。
【請求項７】
前記通信端末は、前記アップロード処理を行っている間、前記通信端末の画面上にファイル転送中であることを示す表示を行うことを特徴とする請求項１から請求項６のいずれか１項に記載の通信端末の発呼方法。
【発明の詳細な説明】
【技術分野】
【０００１】
本発明は、通話中の各通信端末で映像ファイルの再生表示ができる通信システムにおける通信端末の発呼方法に関するものである。
【背景技術】
【０００２】
従来から、テレビ電話機能を搭載した通信端末が数多く知られている。特に、近年のテレビ電話機能を搭載した通信端末では、通話中において、一方の通信端末が該通信端末内に保存している映像ファイルを再生指定すると、自己の通信端末の表示部に表示するとともに、該映像ファイルのデータが通信回線を介して相手方の通信端末に送られ、相手方の通信端末の表示部にストリーミング再生表示することができる技術が知られている。
また、特許文献１に示されるテレビ電話システムは、発信中のテレビ電話端末にユーザに応じた映像（例えば、ＣＭ）を送信するもので、ネットワーク側にユーザの個人情報を有し、個人情報を基にユーザにあった映像を選択し、音声とリングバックトーンの合成を行い、相手が応答するまで発信中のテレビ電話端末に映像ファイルを送信するものである。
【特許文献１】特開２００５−３３４４２号公報
【発明の開示】
【発明が解決しようとする課題】
【０００３】
しかしながら、従来のテレビ電話機能を搭載した通信端末では、通話中に一時的に回線を全て使用して映像ファイルのストリーミング再生（転送）を行う場合、再生された映像を見ながら「今のいいよね」などのように、再生中にお互いが会話をすることができないという問題がある。
また、通話を行いながら映像ファイルの転送を並行して行う場合、ファイル転送に使える帯域が減り、転送が完了するまでの時間がかかるのでリアルタイム性に欠けるという問題がある。
また、通話を行いながら映像ファイルのストリーミング再生（転送）を並行して行う場合、ストリーミング再生に必要なレートよりも転送レートが低ければ、映像ファイルが正しく再生できない可能性があるという問題がある。
さらに、従来のテレビ電話機能を搭載した通信端末では、通話中の各通信端末で再生表示する映像ファイルは、通話中に転送しなければならないので、通話開始直後から映像ファイルを通話中の各通信端末で再生表示することができないという問題もある。
なお、上述の特許文献１に記載されているテレビ電話システムは、通話中に各通信端末において同じ映像を表示する技術ではない。また、そのための映像ファイルを通話中に転送する技術でもない。
【０００４】
本発明は、このような問題点に鑑みてなされたものであり、本発明の目的は、通話開始直後から映像ファイルを再生することができる通信端末の発呼方法を提供することにある。
【課題を解決するための手段】
【０００５】
上記目的を達成するため、本発明の通信端末の発呼方法は、ネットワーク上のサーバにアップロードされた映像ファイルに対して、通話中の通信端末から該映像ファイルの再生要求を受けると、通話中の各通信端末に対し当該映像ファイルを配信して、通話中の各通信端末で前記映像ファイルの再生表示ができる通信システムにおいて、前記通信端末が、通話相手を呼び出すための発呼操作が行われる際に、前記通話中に再生する映像ファイルのアップロードの指定が行われていると、前記通話相手を呼び出す処理の前に、前記指定された映像ファイルの前記サーバへのアップロード処理を行い、当該アップロードが完了した後、前記通話相手を呼び出す処理を実行することを特徴とする。
または、アップロードする残りのサイズが所定のサイズになってから、前記通話相手を呼び出す処理を実行することを特徴とする。
または、該アップロード処理の完了予測時間が所定時間を過ぎると、前記通話相手を呼び出す処理を実行することを特徴とする。
または、アップロードを開始してから所定時間が経過すると、前記通話相手を呼び出す処理を実行することを特徴とする。
【０００６】
前記通信端末は、前記通話相手との通話が開始しても前記アップロード処理が完了しないときは、当該通話に必要な帯域を確保し、残りの帯域で前記アップロード処理を行うことが好ましく、または、無音区間を検出して、無音状態のときに前記アップロード処理を行うことが好ましい。また、前記通信端末は、前記アップロード処理を行っている間、前記通信端末の画面上にファイル転送中であることを示す表示を行うことが好ましい。
【発明の効果】
【０００７】
本発明は、通話相手に見せたい映像のファイルを通話相手が応答する前にメディアサーバに転送もしくは転送し始めるので、通話開始直後から映像ファイルを再生することができ、もしくは通話を開始してしばらくして映像ファイルを再生することができる。
【発明を実施するための最良の形態】
【０００８】
本発明の実施の形態について図面を参照して説明する。図１は、本発明に係る通信端末の一例である携帯端末装置が接続されるネットワークの構成図である。携帯端末装置１０は、テレビ電話機能を搭載し、グループ通話ができるもので、呼制御は、ＩＰネットワーク上のＳＩＰ（Ｓｅｓｓｉｏｎ  Ｉｎｉｔｉａｔｉｏｎ  Ｐｒｏｔｏｃｏｌ）サーバ４０にメッセージを送信することで行い、音声信号や映像信号は、携帯端末装置１０内でＲＴＰ（Ｒｅａｌ−ｔｉｍｅ  Ｔｒａｎｓｐｏｒｔ  Ｐｒｏｔｏｃｏｌ）パケットに変換して、相手通信端末装置に送信する。ＲＴＰパケットは、ＰＤＳＮ（Ｐａｃｋｅｔ  Ｄａｔａ  Ｓｅｒｖｉｎｇ  Ｎｏｄｅ）５０を経由して相手端末装置、または、他のネットワーク６０に送信される。ＳＭＳ（Ｓｈｏｒｔ  Ｍｅｓｓａｇｅ  Ｓｅｒｖｉｃｅ）サーバ３０は、ＳＩＰサーバ４０からの着呼通知をもとに通話相手に例えばグループ通話の着呼を伝えるＳＭＳメッセージを作成し、通話相手の端末装置に送信する。なお、通話相手がＳＩＰサーバ４０にＲｅｇｉｓｔｒａｔｉｏｎを行っており、ＳＩＰサーバ４０からの通話相手への着呼通知が可能な場合は、ＳＭＳサーバ３０からのＳＭＳメッセージによる着呼通知は不要である。メディアサーバ７０は、携帯端末装置１０から送られる映像・音声ファイルを一時的に保存し、保存された映像・音声ファイルに対して、通話中の携帯端末装置１０からの命令で映像・音声ファイルの再生要求を受けると、通話中の各携帯端末装置１０に対し映像・音声ファイルを配信し、映像・音声データの再生／停止／一時停止などを行う。
【０００９】
上述の説明において、通話の着呼通知をＳＭＳメッセージで通知するのは、携帯端末装置１０と基地局２０との間の帯域を無駄に占有しないようにするためである。つまり、携帯端末装置１０がＳＩＰサーバ４０から通知を受け取るためには、携帯端末装置１０と基地局２０（または、ＰＤＳＮ５０）との間でＰＰＰのコネクションを常に確立しておく必要がある。しかし、基地局２０に同時に接続できる携帯端末装置１０の数には限りがあり、また、帯域の利用効率も悪くなってしまう。そのため、通話の着呼通知をＳＭＳメッセージで行い、その後、ＰＰＰ（Ｐｏｉｎｔ  ｔｏ  Ｐｏｉｎｔ  Ｐｒｏｔｏｃｏｌ）のコネクションを確立してＳＩＰサーバ４０との通信を行う。
【００１０】
図２は、本発明に係る通信端末の一例を示す携帯端末装置のシステム構成図である。なお、本実施の形態では、携帯端末装置として携帯電話機を例示して説明する。図２に示す携帯電話機１０は、送受信部１０２と、制御部１０３と、ＳＭＳ解析部１０４と、音声変復調部１０５と、映像変復調部１０６と、スピーカ１０７と、表示装置１０８と、マイク１０９と、カメラ１１０と、メモリ１１１、操作部１１３とにより構成される。
【００１１】
基地局２０から送られてくる信号は、アンテナ１０１で受信される。送受信部１０２は、受信した信号を制御部１０３からの命令に基づいて処理し、ＳＩＰメッセージであれば制御部１０３に出力し、ＲＴＰパケットであれば、パケットから音声データ、映像データを取り出して、それぞれ音声変復調部１０５、映像変復調部１０６に出力する。音声変復調部１０５は、音声データをデコードし、デコードされた音声データをスピーカ１０７から出力する。映像変復調部１０６は、映像データをデコードし、デコードされた映像を表示装置１０８に出力する。
【００１２】
送信する場合は、マイク１０９、カメラ１１０から取得した音声データ、映像データをそれぞれ音声変復調部１０５、映像変復調部１０６に入力すると、音声変復調部１０５が、音声データをエンコードし、映像変復調部１０６が、映像データをエンコードする。送受信部１０２は、エンコードされたデータを制御部１０３の命令に基づいてＲＴＰパケットにし、アンテナ１０１を通じて基地局２０に送信する。また、制御部１０３は、ＳＩＰメッセージを生成し、送受信部１０２、アンテナ１０１を通じて基地局２０に送信する。
【００１３】
メモリ１１１は、データ保存部１１２を備え、データ保存部１１２には、メディアサーバ７０に送信するデータ、およびメディアサーバ７０からダウンロードしたデータが格納される。また、メモリ１１１には、音声通話を行うためのアプリケーションプログラム、映像ファイルを再生するためのアプリケーションプログラム、テレビ電話を行うためのアプリケーションプログラムなどが格納される。
【００１４】
着呼通知をＳＭＳメッセージで受け取ったときは、送受信部１０２は、受信したＳＭＳメッセージを制御部１０３からの命令に基づいて処理し、ＳＭＳ解析部１０４に送信する。ＳＭＳ解析部１０４は、ＳＭＳメッセージを解析し、例えばテレビ電話の着信と判定すると、メモリ１１１に格納されている、テレビ電話を行うためのアプリケーションプログラムを起動させ、メンバー情報をアプリケーションに通知する。アプリケーションは、ＳＩＰサーバ４０に対し位置登録（Ｒｅｇｉｓｔｒａｔｉｏｎ）を行い、着呼処理を行う。
【００１５】
図３は、図２に示す携帯電話機がメディアサーバに映像ファイルをアップロード（転送）して通話を開始するまでの第１の実施例を説明するシーケンス図である。端末Ａは、通話相手を呼び出すための発呼操作が操作部１１３で行われる際に、通話中に再生する映像ファイルのアップロード（転送）の指定が操作部１１３で行われていると、ＳＩＰサーバ４０に位置登録（Ｒｅｇｉｓｔｒａｔｉｏｎ）の処理を行った後に、端末Ａからメディアサーバ７０への指定された映像ファイルのアップロード処理を始めに開始する。図４は、アップロード処理時に端末Ａの表示装置に表示される画面の例を示す図である。アップロード処理時の画面では、上部に、アンテナとバッテリのアイコン、中央部に「ファイル転送中」のメッセージと発信の文字と相手の電話番号が表示され（グループ通話の場合、一部のメンバーの番号を表示しても良いし、全てのメンバーの番号を表示しても良い）、下部に、ファイル転送の進捗状況を表すバーと転送量（％）が表示される。
【００１６】
メディアサーバ７０は、ファイルのアップロード処理が終了すると端末Ａに対しファイル転送完了のメッセージを通知し、端末Ａは、ファイルのアップロード処理が終了すると、ＩＮＶＩＴＥメッセージをＳＩＰサーバ４０に送信して通話相手を呼び出す処理を行う。ＳＩＰサーバ４０は、端末ＡからＩＮＶＩＴＥメッセージを受信すると、ＳＭＳサーバ３０に対し着呼通知を行う。ＳＭＳサーバ３０は、着呼通知を受けると、指定された端末Ｂ、Ｃに対しＳＭＳメッセージを通知する。なお、ＩＮＶＩＴＥメッセージに含まれている指定された通話相手（端末Ｂ、Ｃ）がＳＩＰサーバ４０にＲｅｇｉｓｔｒａｔｉｏｎを行っている場合は、このＳＭＳメッセージの通知を省略してＳＩＰメッセージで着信を通知する。
【００１７】
端末Ｂ、Ｃが、ＳＭＳメッセージの通知を受け、ＳＩＰサーバ４０に対し位置登録の処理を行うと、ＳＩＰサーバ４０から端末Ｂ、ＣにＩＮＶＩＴＥメッセージが送られる。端末Ｂ、Ｃは、ＩＮＶＩＴＥメッセージを受信すると着信音を鳴らし、ＲｉｎｇｉｎｇをＳＩＰサーバ４０を介して端末Ａに送信する。端末Ｂ、Ｃがオフフックすると、２００  ＯＫ応答メッセージがＳＩＰサーバ４０を介して端末Ａに送信される。端末Ａが２００  ＯＫ応答メッセージの受信に対して端末Ｂ、ＣにＡＣＫメッセージを送信すると、端末Ａと端末Ｂ、Ｃとの間でコネクションが確立され、以降は、端末Ａと端末Ｂ、Ｃとの間で通話が開始される。
【００１８】
上述した実施例では、メディアサーバ７０へ指定された映像ファイルのアップロード処理が完了してから、通話相手を呼び出す処理を行うので、通話開始直後から映像ファイルを再生することができる。
【００１９】
なお、図３ではメディアサーバ７０へ指定された映像ファイルのアップロード処理が完了してから、通話相手を呼び出す処理（端末ＡからＳＩＰサーバ４０へのＩＮＶＩＴＥメッセージの送信）を行っているが、端末Ｂ、ＣがＳＭＳメッセージを受信して応答するまでの時間を考慮して、アップロード処理が完了する前にＳＩＰサーバにメッセージを通知するようにしても良い。次に、アップロード処理が完了する前に、通話相手を呼び出す処理を行う例について説明する。
【００２０】
第２の実施例は、指定された映像ファイルのメディアサーバ７０へのアップロード処理を行い、アップロードする残りのサイズが所定のサイズになってから、通話相手を呼び出す処理を実行するものである。通話相手を呼び出すまでには時間がかかるが、第２の実施例では、この呼び出すまでにかかる時間分を考慮して、アップロードする残りのサイズが所定のサイズになってから、通話相手を呼び出す処理を実行するので、第１の実施例よりも早く相手を呼び出せると共に、通話開始直後から映像ファイルを再生することができる。
【００２１】
第３の実施例は、指定された映像ファイルのメディアサーバ７０へのアップロード処理を行い、アップロード処理の完了予測残り時間が所定時間（通話相手を呼び出すまでにかかる時間）を過ぎたときに、通話相手を呼び出す処理を実行するものである。第３の実施例では、アップロード処理が完了するまでの残り時間が所定時間になったときに通話相手を呼び出すので、所定時間分、第１の実施例よりも早く相手を呼び出せると共に、通話開始直後からファイルを再生することができる。
【００２２】
第４の実施例は、指定された映像ファイルのメディアサーバ７０へのアップロード処理を行い、アップロード処理を開始してから所定時間が経過したときに、通話相手を呼び出す処理を実行するものである。第４の実施例では、アップロード処理の開始から一定時間経過後に通話相手を呼び出すので、通話の開始が遅くなることを防ぐことができる。
【００２３】
なお、第２、第３、第４の実施例においては、端末Ｂ、Ｃの通話相手が応答して通話可能状態になった時点でも通信路の影響によりアップロード処理が完了しない場合がある。その場合は、通話相手との通話が開始すると、通話に必要な帯域を確保して、残りの帯域でアップロード処理を行う。すなわち、現在使用可能な帯域と例えばテレビ電話で使用する帯域からファイル転送に使用可能な帯域を算出し、通話に影響が出ないようにファイル転送量を下げて、ファイル転送に使用可能な帯域内でファイル転送を継続する。また、別の方法として、通話相手との通話が開始すると、音声のパケットの転送量が一定量以下である無音区間を検出して、無音状態になった時にまとめてファイルをアップロードするようにしても良い。図５は、通話可能状態になった時点でアップロード処理が完了しない時に端末Ａの表示装置に表示される画面の例を示す図である。画面には、バー２０３が表示され、アップロードの進捗状況が分かるようにする。２０１はテレビ電話で通話している相手の映像であり、２０２は自分の映像である。
【００２４】
次に、メディアサーバについて説明する。メディアサーバ７０にアップロードされた映像ファイルは、映像ファイルをアップロードした端末の操作部１１３から操作することができる。なお、通話相手からの操作により再生等のアップロードされた映像ファイルのコントロールを行うようにしても良い。端末Ａで映像ファイルを再生指示すると、話者の映像と音声は停止し、メディアサーバ７０から端末Ａ、Ｂ、Ｃに映像ファイルが送信されても良いし、上述したように、端末で再生する映像ファイルがメディアサーバ７０にあるので、メディアサーバ７０でファイルの映像と音声に話者の音声を合成して通話相手の端末に送信するようにすることも可能である。映像ファイルの音声と話者の音声を合成できると、再生中の映像ファイルについて会話をする（コメントする）ことが可能となる。端末側で映像ファイルの音声と話者の音声を合成する方法もあるが、すべての話者の音声を合成する場合、端末にすべての話者の音声データが必要となる。
【００２５】
また、メディアサーバ７０にアップロードされた映像ファイルは、呼が確立しなかったとき（発信をキャンセルした場合）、または、通話が終了したときに削除されるが、例えば、終話時に気に入った映像ファイルがあればメディアサーバ７０からダウンロードして端末に保存できるようにしても良い。
【００２６】
また、本発明では、映像ファイルの音声と話者の音声を合成しないで、例えばテレビ電話とは別に映像ファイルを通話相手の端末に送信するようにしても良い。この場合、映像ファイルを送信するメディアサーバの情報などは事前に端末に通知しておく必要がある。図６は、テレビ電話で通話しているときに、テレビ電話とは別に送信された映像ファイルを受信して再生しているときの画面の例を示す図である。２０１は相手の映像であり、２０２は自分の映像であり、２０４はファイル再生の映像である。
【図面の簡単な説明】
【００２７】
【図１】本発明に係る携帯端末装置が接続されるネットワークの構成図である。
【図２】本発明に係る携帯端末装置のシステム構成図である。
【図３】携帯電話機がメディアサーバに映像ファイルをアップロード（転送）して通話を開始するまでの第１の実施例を説明するシーケンス図である。
【図４】アップロード処理時に端末Ａの表示装置に表示される画面の例を示す図である。
【図５】通話可能状態になった時点でアップロード処理が完了しない時に端末Ａの表示装置に表示される画面の例を示す図である。
【図６】テレビ電話で通話しているときに、テレビ電話とは別に送信された映像ファイルを受信して再生しているときの画面の例を示す図である。
【符号の説明】
【００２８】
１０  携帯端末装置
２０  基地局
３０  ＳＭＳサーバ
４０  ＳＩＰサーバ
５０  ＰＤＳＮ
６０  ネットワーク
７０  メディアサーバ
１０１  アンテナ
１０２  送受信部
１０３  制御部
１０４  ＳＭＳ解析部
１０５  音声変復調部
１０６  映像変復調部
１０７  スピーカ
１０８  表示装置
１０９  マイク
１１０  カメラ
１１１  メモリ
１１２  データ保存部
１１３  操作部
２０１  相手の映像
２０２  自分の映像
２０３  バー
２０４  ファイル再生の映像
【図１】
2008060752.tif 000003
【図２】
2008060752.tif 000004
【図３】
2008060752.tif 000005
【図４】
2008060752.tif 000006
【図５】
2008060752.tif 000007
【図６】
2008060752.tif 000008